(57)【要約】      （修正有）【課題】組立て及び撤去を容易に行うことのできる足場システムを提供する。【解決手段】支持パネルを支えるためのボードベア２０またはガイドレール３を足場支柱に連結するための足場支柱連結装置と、支持パネルを支えるための多数のフレーム１０と、前記フレーム１０を前記ボードベア２０に連結するためのフレーム連結装置とを備え、前記フレーム連結装置は、一方の面から垂直端面に突き出て貫通形成された挿入孔２２ａを有する側端面結合部２２と、一方の面から平面に突き出て貫通形成された滑りばめ孔２３ａを有する下側平面結合部２３とが形成されているボードベア２０と、前記挿入孔２２ａに挿入する挿入部と、他方の面において前記滑りばめ孔２３ａに挿通する滑りばめ部１３と、他方の面に締結されて前記滑りばめ部１３を上下移動自在にガイドするガイド部１４とが形成されているフレーム１０とを備えることを特徴とする足場システム。【選択図】図４
2006257864.tif 000002
【特許請求の範囲】
【請求項１】
地面に固定される足場支柱により支えられて作業員の移動及び作業スペースを形成する支持パネルを備える足場システムにおいて、
前記支持パネルを支えるためのボードベアまたは作業員の安全のためのガイドレールを前記足場支柱に連結するための足場支柱連結装置と、
前記支持パネルを支えるための多数のフレームと、
前記フレームを前記ボードベアに連結するためのフレーム連結装置とを備え、
前記フレーム連結装置は、一方の面から垂直端面に突き出て貫通形成された挿入孔を有する側端面結合部と、一方の面から平面に突き出て貫通形成された滑りばめ孔を有する下側平面結合部とが形成されているボードベアと、
前記挿入孔に挿入する挿入部と、他方の面において前記滑りばめ孔に挿通する滑りばめ部と、他方の面に締結されて前記滑りばめ部を上下移動自在にガイドするガイド部とが形成されているフレームとを備えることを特徴とする足場システム。
【請求項２】
前記挿入部は、先端における所定の部分から薄肉化が進むことにより、一方の面に傾斜面が形成されることを特徴とする請求項１に記載の足場システム。
【請求項３】
前記滑りばめ部は、上側において所定の面積を有する平面に形成される手摺と、
前記手摺の下側に延設されて垂直端面に形成される垂直移動端面とを備えることを特徴とする請求項１に記載の足場システム。
【請求項４】
前記足場支柱連結装置は、前記足場支柱の両外周面に固定され、水平向きの端面に挿通された上ボードベア取付口を有する上ブレース取付部と、
前記上ブレース取付部と所定の間隔をあけて前記足場支柱の両外周面に固定され、水平向きの端面に挿通された下ボードベア取付口を有する下ブレース取付部とを備え、
前記ボードベアは、上面から上側に突出されて端面に前記上ボードベア取付口と突き合わせられる上面固定口が形成された上面固定部と、
下面から下側に突出されて端面に前記下ボードベア取付口と突き合わせられる下面固定口が形成された下面固定部とを備え、
前記上ブレース取付部と下ブレース取付部との隙間に挿置されることを特徴とする請求項１に記載の足場システム。
【請求項５】
前記ボードベアは、一方の面において、所定の幅と長さを有し、一方向に突出する端面に挿通されたボードベアブレース取付口が形成されたボードベアブレース取付部を備えることを特徴とする請求項４に記載の足場システム。
【請求項６】
前記上ブレース取付部と下ブレース取付部は、水平向きの端面からそれぞれ対角上方及び対角下方の端面に延設され、前記対角方向の端面にブレースが取り付けられるブレース取付口が挿通されることを特徴とする請求項４に記載の足場システム。
【請求項７】
前記足場支柱の外周面における前方と後方にそれぞれ固定され、前記足場支柱の外周面に固定される端面から対角上方及び対角下方、水平向きのそれぞれの端面が分岐状に延設され、前記各端面には、前記ブレースが取り付けられる端面延設ブレース取付口がそれぞれ貫通形成される端面延設ブレース取付部をさらに備えることを特徴とする請求項４に記載の足場システム。
【請求項８】
前記足場支柱連結装置は、内側が上下に貫通形成されて前記足場支柱が内側に挿入されることにより、前記足場支柱の外周面を滑摺して昇降する摺動部と、
前記摺動部の外周面を貫通して前記足場支柱に固定されることにより、前記摺動部を前記足場支柱に固定する複数の前記滑りばめ部と、
前記摺動部の外周面において所定の面積を有する平面に形成される上プレートと、
前記上プレートの下側において一定距離をあけて所定の面積を有する平面に形成される下プレートと、
前記上プレートと下プレートの平面においてそれぞれ挿通されるプレート貫通孔とを備えることを特徴とする請求項１に記載の足場システム。
【請求項９】
前記ボードベアは、所定の形状を有する平面であり、前記プレート貫通孔と突き合わせられる締結孔が形成される締結部が先端に形成されて前記上プレートと下プレートとの間に挿入されることを特徴とする請求項８に記載の足場システムの一体型連結装置。
【請求項１０】
前記ガイドレールは、所定の形状を有する平面であり、前記プレート貫通孔と突き合わせられる締結孔を有する締結部が先端に形成されて前記上プレートと下プレートとの間に挿置されることを特徴とする請求項８に記載の足場システムの一体型連結装置。
【請求項１１】
前記足場支柱連結装置は、地面に固定される足場支柱の外周面に固定される下部連結金具と、前記下部連結金具の上面を覆い、上側から下側に向かって貫通する貫通孔とが形成された上プレートを有する連結部と、
前記足場支柱に取り付けられるガイドレールの両端にそれぞれ形成され、前記貫通孔と突き合わせられる挿入孔がそれぞれ形成されて前記上プレートに支えられる上面プレートと、前記下部連結金具の下面を支える下面プレートとが形成される締結部と、
前記貫通孔と挿入孔に挿通されて前記締結部と連結部を固定するテーパーキーとを備えることを特徴とする請求項１に記載の足場システム。
【請求項１２】
前記足場支柱連結装置は、地面に固定される足場支柱の外周面に固定され、前面が開口されて内側に中空が形成され、上面と下面には貫通孔が形成される連結部と、
前記連結部の内側に挿入され、上面と下面には前記貫通孔と突き合わせられる挿入孔が形成される締結部と、
前記貫通孔及び挿入孔に挿通されて前記締結部と連結部を固定するテーパーキーとを備えることを特徴とする請求項１に記載の足場システム。
【請求項１３】
前記連結部は、段面コ字状に形成されることを特徴とする請求項１２に記載の足場システム。
【請求項１４】
前記締結部は、前面に垂直端面が形成される四角形状を呈することを特徴とする請求項１２に記載の足場システム。
【発明の詳細な説明】
【技術分野】
【０００１】
本発明は足場システムに係り、より詳しくは、所定の装備への取り付けに当たり、取り付け装置への異物の落下防止及び作業の便宜を図るために設けられる支持パネルを支える構造を改善して組立て及び撤去を容易に行うことのできる足場システムに関する。
【背景技術】
【０００２】
通常、液化天然ガスは、メタンを主成分とする天然ガスを極低温の状態にしてその体積を圧縮したものであり、これを運搬するための輸送船は、液化天然ガスを貯蔵するタンクの断熱方式によって、独立型のものとメンブレン型のものとに大別できる。
【０００３】
前記輸送船における液化天然ガスの貯蔵タンクは、内部の断熱のためにその内壁に設けられるメンブレンが極めて薄く、その取付け高さが極めて大きくなっている。このため、前記貯蔵タンク及び周辺施設の取付け作業に際しては、前記貯蔵タンクへの異物の落下及び接触を防ぐ目的で、足場システムを構成してから作業を行っている。このような通常の足場システムは、図１に示してある。
【０００４】
図１は、通常の足場システムを示す斜視図である。
【０００５】
図１を参照すると、液化天然ガスが貯えられる貯蔵タンク１に何らかの作業を行うための足場システムには、左右の両側部分と途中部分にそれぞれ足場支柱２が設けられる。これらの足場支柱２は、作業員の作業及び移動スペースに用いられる支持パネル５を取り付けるためのものであり、この支持パネル５は、前記足場支柱２に連ねるボードベア４により支えられる。また、前記足場支柱２には、作業員が移動または作業を行うときに空間をガイドして前記作業員を支えるためのガイドレール３が設けられる。前記ガイドレール３は、前記支持パネル５の上側に作業員をガイドまたは支持できる高さで、両端が隣り合う足場支柱２にそれぞれ固定される。
【０００６】
図２(a)は、従来の技術による足場システムの支持パネルの底面図であり、図２(b)は、図２(a)におけるＩ−Ｉ線断面拡大図である。
【０００７】
図２を参照すると、前記ボードベア４は、前記足場支柱２の一方の側と他方の側においてそれぞれ固定されて前記支持パネル５を支える。このために、前記一方の側と他方の側におけるボードベア（board bear）４の間には、上側に位置する支持パネル５を支えるための多数のフレーム６が挿置される。
【０００８】
このとき、前記フレーム６の先端には、前面と両側面が開口され、上面と下面にそれぞれ締結孔６ｂが形成されて全体としてコ字状を呈する締結部６ａが形成される。また、前記ボードベア４には、前記フレーム６が密接される一方の面に前記締結部６ａと結合する連結部４ａが形成される。この連結部４ａは、前面と両側面が端面を形成し、かつ、上面と下面が開口されたような形状を呈する。
【０００９】
このため、前記フレーム６における締結部６ａの開口された内側に前記連結部４ａが据付可能に、前記フレーム６を前記ボードベア４の一方の面に密接する。そして、前記締結部６ａの前面に形成されている締結孔にテーパーキー７ａを差し込み、このテーパーキー７ａを前記連結部４ａの開口面、すなわち、上下面に通させて前記締結部６ａの下面に突出させる。このように、前記テーパーキー７ａが前記連結部４ａと締結部６ａを固定することにより、前記フレーム６が前記ボードベア４に固定される。
【００１０】
図３(a)及び図３(b)は、それぞれ図１におけるＡ部分及びＢ部分の拡大斜視図であり、従来の技術による足場システムの足場支柱連結装置にボードベア４またはガイドレール３が取り付けられている状態である。
【００１１】
図３を参照すると、従来の足場支柱連結装置には、前記足場支柱２の外周面に前記ガイドレール３またはボードベア４を取り付けるための連結金具２ａが溶接される。
【００１２】
前記連結金具２ａは略コ字状に折り曲げられた部材であり、その両端部が前記足場支柱２に溶接される。これにより、前記連結金具２ａ及び前記足場支柱２により囲まれ、且つ、上側と下側が開口された貫通孔２ｂが形成される。
【００１３】
このようにして形成される連結金具２ａは、図３(a)に示すように、前記足場支柱２の片側に設けられても良く、図３(b)に示すように、前記足場支柱２の前面と背面、そして両側にそれぞれ設けられても良い。
【００１４】
さらに、前記ガイドレール３または前記ボードベア４の両端にはそれぞれ、上側において平面を形成する上面プレート３ａ、４ａと、前記上面プレート３ａ、４ａと対向するような平面を形成する下面プレート３ｂ、４ｂとが形成され、前面は開口される。また、前記上面プレート３ａ、４ａ及び前記下面プレート３ｂ、４ｂには、それぞれの同一線上を貫通する挿入孔３ｃ、４ｃが形成される。
【００１５】
一方、前記足場支柱の連結金具は、前記貫通孔２ｂの上、下側に前記ガイドレール３または前記ボードベア４の上面プレート３ａ、４ａと下面プレート３ｂ、４ｂの挿入孔３ｃ、４ｃがそれぞれ位置するように配設された状態で、前記貫通孔２ｂ及び前記挿入孔３ｃ、４ｃにテーパーキー７ｂ、７ｃが差し込まれる。
【００１６】
前記テーパーキー７ｂ、７ｃは、先ず、その下側が前記前記プレート３ａ、４ａの挿入孔３ｃ、４ｃに挿入されて前記貫通孔２ｂを貫通した後、前記下プレート３ｂ、４ｂの挿入孔３ｃ、４ｃを通って突出され、これにより、前記足場支柱２と前記ガイドレール３または前記ボードベア４とが固定される。
【００１７】
このために、前記テーパーキー７ｂ、７ｃは、一方の側面が垂直端面を呈すると共に、他方の側面は下方に進むにつれて狭幅となる傾斜面を呈する。
【００１８】
しかしながら、上記の如き従来の足場システムは、前記フレームとボードベアをつなぐフレーム連結装置が別体のテーパーキーにより固定されるが故に、前記テーパーキーの紛失またはその数量の不足時には作業を行うことが困難になり、別途の管理が求められていた。また、従来の足場システムは、複数のガイドレールまたはボードベアの連結が容易ではなく、網などを別途に張る必要があるときには、別途の連結装置が必要とされていた。さらに、従来の足場システムは、前記ボードベアまたはガイドレールの連結のための連結金具が前記足場支柱に溶接されるが故に、取付け高さを変えることができず、しかも、他の足場支柱と同じ個所に連結金具を溶接する必要があるが故に、作業が決して容易ではなかった。なおかつ、溶接に起因して前記足場支柱と前記ボードベアまたはガイドレールとの連結部が熱的損傷を受けて変色が起こり、しかも、錆などが形成され、塗色を行う必要があるという不都合があった。加えて、従来の足場システムは、前記足場支柱とガイドレールまたはボードベアとの結合が堅固ではないため、振動または外力により前記テーパーキーが外されたり、締付力が弛まったりする恐れがあった。これにより、前記足場支柱からガイドレールまたはボードベアが離脱する可能性があり、これは、安全事故につながるという問題点があった。
【００１９】
特許文献としては、一般足場技術として 特開２００４−０１７８４４、特開２００２−３４７７６３などがある。
【特許文献１】特開２００４−０１７８４４
【特許文献２】特開２００２−３４７７６３
【発明の開示】
【発明が解決しようとする課題】
【００２０】
本発明は上記事情に鑑みてなされたものであり、その目的は、ボードベアとフレームの連結装置をそれぞれの胴体に一体化させることにより、容易に管理することができ、ボードベアまたはガイドレールの取付け位置を調節できるほか、複数の設置を可能にし、且つ、前記ガイドレールまたはボードベアを前記足場支柱に堅結することのできる足場システムを提供するところにある。
【課題を解決するための手段】
【００２１】
上記の不具合を解決するための本発明に係る足場システムは、地面に固定される足場支柱により支えられて作業員の移動及び作業スペースを形成する支持パネルを備える足場システムにおいて、前記支持パネルを支えるためのボードベアまたは作業員の安全のためのガイドレールを前記足場支柱に連結するための足場支柱連結装置と、前記支持パネルを支えるための多数のフレームと、前記フレームを前記ボードベアに連結するためのフレーム連結装置とを備え、前記フレーム連結装置は、一方の面から垂直端面に突き出て貫通形成された挿入孔を有する側端面結合部と、一方の面から平面に突き出て貫通形成された滑りばめ孔を有する下側平面結合部と、が形成されているボードベアと、前記挿入孔に挿入する挿入部と、他方の面において前記滑りばめ孔に挿通する滑りばめ部と、他方の面に締結されて前記滑りばめ部を上下移動自在にガイドするガイド部とが形成されているフレームとを備える。
【００２２】
ここで、前記挿入部は、先端における所定の部分から薄肉化が進むことにより、一方の面に傾斜面が形成されても良い。また、前記滑りばめ部は、上側において所定の面積を有する平面に形成される手摺と、前記手摺の下側に延設されて垂直端面に形成される垂直移動端面と、を備えることができる。
【００２３】
また、前記足場支柱連結装置は、前記足場支柱の両外周面に固定され、水平向きの端面に挿通された上ボードベア取付口を有する上ブレース取付部と、前記上ブレース取付部と所定の間隔をあけて前記足場支柱の両外周面に固定され、水平向きの端面に挿通された下ボードベア取付口を有する下ブレース取付部とを備え、前記ボードベアは、上面から上側に突出されて端面に前記上ボードベア取付口と突き合わせられる上面固定口が形成された上面固定部と、下面から下側に突出されて端面に前記下ボードベア取付口と突き合わせられる下面固定口が形成された下面固定部とを備え、前記上ブレース取付部と下ブレース取付部との隙間に挿置されることが好ましい。さらに、前記ボードベアは、一方の面において、所定の幅と長さを有し、一方向に突出する端面に挿通されたボードベアブレース取付口が形成されたボードベアブレース取付部を備えることができる。さらに、前記上ブレース取付部と下ブレース取付部は、水平向きの端面からそれぞれ対角上方及び対角下方の端面に延設され、前記対角方向の端面にブレースが取り付けられるブレース取付口が挿通されても良い。さらに、前記足場支柱の外周面における前方と後方にそれぞれ固定され、前記足場支柱の外周面に固定される端面から対角上方及び対角下方、水平向きのそれぞれの端面が分岐状に延設され、前記各端面には、前記ブレースが取り付けられる端面延設ブレース取付口がそれぞれ貫通形成される端面延設ブレース取付部をさらに備えることができる。
【００２４】
また、前記足場支柱連結装置は、内側が上下に貫通形成されて前記足場支柱が内側に挿入されることにより、前記足場支柱の外周面を滑摺して昇降する摺動部と、前記摺動部の外周面を貫通して前記足場支柱に固定されることにより、前記摺動部を前記足場支柱に固定する複数の前記滑りばめ部と、前記摺動部の外周面において所定の面積を有する平面に形成される上プレートと、前記上プレートの下側において一定距離をあけて所定の面積を有する平面に形成される下プレートと、前記上プレートと下プレートの平面においてそれぞれ挿通されるプレート貫通孔とを備えることができる。さらに、前記ボードベアは、所定の形状を有する平面であり、前記プレート貫通孔と突き合わせられる締結孔が形成される締結部が先端に形成されて前記上プレートと下プレートとの間に挿入されても良い。さらに、前記ガイドレールは、所定の形状を有する平面であり、前記プレート貫通孔と突き合わせられる締結孔を有する締結部が先端に形成されて前記上プレートと下プレートとの間に挿置されても良い。
【００２５】
前記足場支柱連結装置は、地面に固定される足場支柱の外周面に固定される下部連結金具と、前記下部連結金具の上面を覆い、上側から下側に向かって貫通する貫通孔とが形成された上プレートを有する連結部と、前記足場支柱に取り付けられるガイドレールの両端にそれぞれ形成され、前記貫通孔と突き合わせられる挿入孔がそれぞれ形成されて前記上プレートに支えられる上面プレートと、前記下部連結金具の下面を支える下面プレートとが形成される締結部と、前記貫通孔と挿入孔に挿通されて前記締結部と連結部を固定するテーパーキーとを備えることができる。
【００２６】
さらに、前記足場支柱連結装置は、地面に固定される足場支柱の外周面に固定され、前面が開口されて内側に中空が形成され、上面と下面には貫通孔が形成される連結部と、前記連結部の内側に挿入され、上面と下面には前記貫通孔と突き合わせられる挿入孔が形成される締結部と、前記貫通孔及び挿入孔に挿通されて前記締結部と連結部を固定するテーパーキーとを備えることができる。ここで、前記連結部は、段面コ字状に形成されても良い。また、前記締結部は、前面に垂直端面が形成される四角形状を呈しても良い。
【発明の効果】
【００２７】
本発明に係る足場システムは、一方の側と他方の側のボードベアにそれぞれ突設される垂直端面と所定の平面に挿通される連結装置を前記フレームの両端に一体にそれぞれ形成することにより、前記フレームとボードベアを別途の工具無しに組立て及び撤去することができ、その作業が容易であって作業時間を短縮することができる。また、複数のボードベアを同じ方向に連設することができ、上下部フランジを用いて支持及び固着することができる。
【００２８】
また、足場支柱の外周面において各方向から対角上方、対角下方及び水平向きにブレースを同時に連結するか、あるいは、足場支柱を中心としてボードベア同士を連結することにより、前記足場支柱に固定させ、また、上下のブレース取付部を対角方向にして上部及び下部フランジの上面と下面にそれぞれ形成することにより、別途の構成要素なしにボードベアとブレースを同時に連結させることから、作業時間の短縮及びコスト節減の効果がある。
【００２９】
さらに、足場支柱の外周面を滑摺して作業員の所望の個所に固定することから、前記連結装置に繋結されるボードベアとガイドレールの高さを作業場の環境に合わせて変えることができ、足場システムの取付け作業が容易になる。また、前記ガイドレールの締結部を外していて、作業開始直前にガイドレールの先端に締め付けることから、別途の溶接が不要になると共に、ガイドレールと締結部との結合部分へのさらなる塗色作業が不要になり、これは、コスト節減につながる。さらに、前記ガイドレールと締結部、連結部とをそれぞれ繋結する複数の固定手段を可撓性材質により形成することから、保管が容易であり、使用時における作業員の使い勝手を良好にできる。
【００３０】
さらに、上部及び下部フランジの間に締結部が挿置されて連結部と締結部との接触及び支持が全体の面積に亘って行われ、外力または振動による揺れ及び離脱を生じることなく固定できることから、安全事故を未然に防ぐことができ、また、上部及び下部フランジが分岐状に足場支柱に取り付けられることから、ガイドレールの取付け後であっても、分岐状のフランジの結合手段を取り外して連結部を上下移動させることにより、ガイドレールの水平バランスを取ることができ、その結果作業が容易になり、しかも、時間を節減できる。
【００３１】
加えて、足場支柱に取り付けられた連結部とガイドレールの締結部にそれぞれ形成される貫通孔と挿入孔を突き合わせ、上プレートの貫通孔と上面プレートの挿入孔による摩擦力によりテーパーキーを固定することから、従来に比べて前記テーパーキーの固定力が格段に強くなり、外力または振動が生じてもテーパーキーが離脱することなく、固定状態を保持することができる。また、連結部と締結部との接触面積が広くなり、外力または振動により左右回転が起きないように固定できることから、前記ガイドレールの安全度が高まって安全事故を予防することができる。
【発明を実施するための最良の態様】
【００３２】
図４(a)及び図４(b)は、本発明に係る足場システムのフレーム連結装置の一側の結合関係を示す斜視図であり、図５は、本発明に係る足場システムのフレームが結合されたボードベアを示す斜視図であり、そして図６は、本発明に係る足場システムのフレームの一端を示す斜視図である。
【００３３】
図４ないし図６を参照すると、フレーム１０は、ボードベア２０と繋結される。また、フレーム胴体１１は、四角形状あるいはその他の形状に製作されて上側の支持パネル（図１及び図２における５）を支える。
【００３４】
前記ボードベア２０は、図５に示すように、四角形状あるいはその他の形状を呈するボードベア胴体２１と、前記ボードベア胴体２１の一方の面から突設されて垂直端面をなす側端面結合部２２と、前記ボードベア胴体２１の一方の面から下側に突出されて所定の平面をなす下側平面結合部２３とを備える。
【００３５】
ここで、前記側端面結合部２２は、前記ボードベア胴体２１の一方の面から突設され、前記ボードベア胴体２１と連結される端面には、後述するフレーム１０の挿入部１２が挿入されるための挿入孔２２ａが貫通形成される。このとき、前記側端面結合部２２は、前記フレーム胴体１１の高さと同じ幅に形成可能である。
【００３６】
また、前記下側平面結合部２３は、前記ボードベア胴体２１の一方の面から突設され、前記側端面結合部２２の下部につながる。さらに、前記下側平面結合部２３の一側には、後述するフレーム１０の滑りばめ部１３が嵌合するための滑りばめ孔２３ａが形成される。
【００３７】
一方、前記フレーム胴体１１の一方の面には、図６に示すように、挿入部１２が突設される。好ましくは、前記挿入部１２は所定の厚さと幅をもって形成され、その先端の所定の部分においてその厚さが薄肉化した所定の傾斜面を含む。
【００３８】
また、前記フレーム胴体１１の他方の面には、前記ボードベア２０の滑りばめ孔２３ａに嵌合する滑りばめ部１３をガイド及び支持するガイド部１４が形成される。
【００３９】
さらに、前記滑りばめ部１３は、「┐」形状に形成され、上端部をなす手摺１３ａと、前記手摺１３ａの下端部に所定の幅と高さをもって形成される垂直移動端面１３ｂとを備える。
【００４０】
さらに、前記ガイド部１４は、前記フレーム胴体１１の他方の面に固定される。このとき、前記ガイド部１４は、両端が前記フレーム胴体１１に固定され、途中部は前記フレーム胴体１１の他方の面と所定の間隔をあけて形成される。一方、前記ガイド部１４の途中部と前記フレーム胴体１１との隙間には、前記滑りばめ部１３の垂直移動端面１３ｂが挿置され、これにより、前記フレーム胴体１１と前記ボードベア２０が固定される。
【００４１】
このようにして構成された足場システムにおいて、前記フレーム１０の挿入部１２は、前記側端面結合部２２の挿入孔２２ａに嵌合する。このとき、前記フレーム１０の滑りばめ部１３の垂直移動端面１３ｂと前記ボードベア２０における下側平面結合部２３の滑りばめ孔２３ａを突き合わせると、前記フレーム胴体１１の先端が前記下側平面結合部２３に定着する。
【００４２】
さらに、前記挿入部１２が前記挿入孔２２ａに嵌合すると、厚くなった挿入部１２の一側と前記挿入孔２２ａの接触面との摩擦力が強くなって結合力が強化する。
【００４３】
そして、前記滑りばめ部１３の垂直移動端面１３ｂが前記滑りばめ孔２３ａに合わせられると、ユーザが前記滑りばめ部１３の手摺１３ａを手にとって前記垂直移動端面１３ｂを下降させ、前記滑りばめ孔２３ａに通させる。
【００４４】
これにより、前記フレーム１０は、前記挿入部１２と側端面結合部２２間、及び滑りばめ部１３と下側平面結合部２３間がそれぞれ結合され、その結果、前記ボードベア２０に結合される。
【００４５】
図７(a)及び図７(b)は、本発明に係る足場システムの足場支柱連結装置の結合関係を示す斜視図であり、図８(a)及び図８(b)は、本発明に係る足場システムの足場支柱連結装置を示す正面図及び側面図であり、そして図９は、本発明に係る足場システムのボードベアを示す斜視図である。
【００４６】
図７ないし図９を参照すると、足場支柱連結装置１２０は、地面に固定される足場支柱１１０の外周面における両側面にそれぞれ固定される上ブレース取付部１２１と下ブレース取付部１２２と、前記足場支柱１１０の外周面における正面と後方にそれぞれ固定される端面延設ブレース取付部１２３とを備える。
【００４７】
ここで、前記上ブレース取付部１２１は、前記足場支柱１１０の外周面に固定される水平断面平面と、前記水平端面の所定の個所以降から対角上方に延設する対角上方面とにより構成される。また、前記上ブレース取付部１２１には、前記水平端面の一側にボードベア１３０が連結される上ボードベア取付口１２１ａが形成される。さらに、前記対角上方面の一側には上ブレース取付口１２１ｂが形成され、この上ブレース取付口１２１ｂにブレース１４０を嵌め込んで網などを張ることができる。
【００４８】
また、前記下ブレース取付部１２２は、前記上ブレース取付部１２１の下側に所定の距離をあけて設けられ、前記足場支柱１１０の外周面に固定される水平端面と、前記水平端面の所定の個所以降から対角下方に延設する対角下方面とにより構成される。また、前記下ブレース取付部１２２においては、前記水平端面の一側に前記ボードベア１３０が連結される下ボードベア取付口１２２ａが形成され、前記対角下方面に前記ブレース１４０が連結される下ブレース取付口１２２ｂが形成される。
【００４９】
一方、前記端面延設ブレース取付部１２３は、前記足場支柱１１０の正面と後方においてそれぞれ足場支柱１１０の外周面に固定される。また、前記端面延設ブレース取付部１２３は、所定の面積を有する垂直端面から対角上方に延びる上向きブレース取付面１２３ａと、前記垂直端面から水平に延びる水平向きブレース取付面１２３ｂと、前記垂直端面から対角下方に延びる下向きブレース取付面１２３ｃとを備える。
【００５０】
ここで、前記上向きブレース取付面１２３ａと水平向きブレース取付面１２３ｂと下向きブレース取付面１２３ｃは、それぞれ前記垂直端面から延びて対角方向を向く端面に形成される。そして、前記水平向きブレース取付面１２３ｂは、前記垂直端面から水平に延び、それぞれの端面１２３ａ、１２３ｂ、１２３ｃにはそれぞれブレース１４０を取り付けるための端面延設ブレース取付口１２３ｄが形成される。
【００５１】
さらに、前記ボードベア１３０には、内側に中空が形成される四角形状の端面に形成され、上面には「└」形状に形成されて平面が前記ボードベア１３０の上面に固定され、垂直端面が上側に突出される上面固定部１３１が形成される。さらに、前記ボードベア１３０の下面には「└」形状に形成されて平面が前記ボードベア１３０の下面に固定され、垂直端面が下側に突出される下面固定部１３２が形成される。
【００５２】
前記上面固定部１３１と下面固定部１３２には、前記上ブレース取付部１２１と下ブレース取付部１２２にそれぞれ形成された上ボードベア取付口１２１ａと下ボードベア取付口１２２ａに突き合わせられる上面固定口１３１ａと下面固定口１３２ａがそれぞれ形成される。
【００５３】
また、前記ボードベア１３０の一方の側面には、ボードベアブレース取付部１３３が一方向に所定の長さだけ突設される。また、ボードベアブレース取付部１３３の端面には、ブレース１４０を取り付けるためのボードベアブレース取付口１３３ａが形成される。
【００５４】
このようにして構成された足場システムは、前記足場支柱１１０の両側における上側と下側にそれぞれ固定される上ブレース取付部１２１と下ブレース取付部１２２との隙間にそれぞれボードベア１３０が挿置される。このとき、前記ボードベア１３０は、一方の面にそれぞれ突出されたボードベアブレース取付部１３３がそれぞれ足場支柱１１０の外側を向くように固着される。すなわち、前記足場支柱１１０の一側に固定されるボードベア１３０は、上面固定部１３１が上側に位置するように固定されるが、他側に固定されるボードベア１３０は、下面固定部１３２が上側に位置するように回転されて固着される。
【００５５】
そして、前記ボードベア１３０においては、上面に形成される上面固定部１３１の上面固定口１３１ａを前記上ブレース取付部１２１の上ボードベア取付口１２１ａと突き合わせ、前記ボードベア１３０の下面に形成される下面固定部１３２の下面固定口１３２ａを前記下ブレース取付部１２２の下ボードベア取付口１２２ａと突き合わせる。さらに、ボードベア結合手段１２４は、突き合わせられたそれぞれの取付口に嵌合されて前記ボードベア１３０を前記上ブレース取付部１２１と下ブレース取付部１２２に取り付ける。これにより、前記足場支柱１１０の外周面に複数のボードベア１３０が固定される。ここで、前記ボードベア結合手段１２４としてボルトとネジを用いて、前記ボードベア１３０と上ブレース取付部１２１及び下ブレース取付部１２２を固定することが好ましい。
【００５６】
さらに、前記上ブレース取付部１２１と下ブレース取付部１２２の傾斜面にそれぞれ形成された上ブレース取付口１２１ｂと下ブレース取付口１２２ｂにブレース１４０の先端に形成された結合口１４１を突き合わせ、この突き合わせられた結合口１４１と上、下部取付口にブレース結合手段１４２を嵌合入して固定することにより、前記上部及び下ブレース取付部１２１、１２２にそれぞれ対角上方または対角下方にブレース１４０が取り付けられる。
【００５７】
さらに、前記足場支柱１１０の両側にそれぞれ固定された両側の前記ボードベア１３０において、前記足場支柱１１０の外側を向くボードベアブレース取付部１３３のボードベアブレース取付口１３３ａと前記ブレース１４０の結合口１４１を突き合わせ、ブレース結合手段１４２を用いてボードベア１３０にブレース１４０を取り付ける。これにより、足場支柱１１０における両側に水平向きにブレース１４０が取り付けられる。
【００５８】
加えて、前記端面延設ブレース取付部１２３の前方と後方において、上側、水平、下側を向くそれぞれのブレース取付面１２３ａ、１２３ｂ、１２３ｃに端面延設ブレース取付口１２３ｄがそれぞれ形成される。また、前記端面延設ブレース取付口１２３ｄには前記ブレース１４０の結合口１４１を突き合わせた後、ブレース結合手段１４２を嵌合して固定する。これにより、前記足場支柱１１０の前面と後方において、対角上方と対角下方及び水平向きにブレース１４０が取り付けられる。
【００５９】
ここで、前記ブレース結合手段１４２としてボルトとネジを用いて、前記端面延設ブレース取付部１２３、上ブレース取付部１２１及び下ブレース取付部１２２にブレース１４０を取り付けることが好ましい。
【００６０】
図１０は、本発明に係る足場システムの一体型連結装置を示す斜視図であり、図１１は、本発明に係る足場システムの一体型連結装置の結合関係を示す斜視図である。
【００６１】
図１０及び図１１を参照すると、摺動部２２１の内側に足場支柱２１０が縦通されることにより、前記足場支柱２１０の外周面を上下移動する。また、上プレート２２２は前記摺動部２２１の外周面において所定の面積を有する平面に形成され、下プレート２２３は前記上プレート２２２の下側において所定の面積を有する平面に形成される。さらに、プレート貫通孔２２４は、前記上プレート２２２と下プレート２２３の平面にそれぞれ貫通形成される。ここで、前記摺動部２２１の外周面には、多数の上プレート２２２と下プレート２２３が対をなして形成される。
【００６２】
また、前記プレート貫通孔２２４には結合手段２２５が嵌合され、これにより、後述するボードベア２３０またはガイドレール２４０の締結部２３１、３４１を固定する。さらに、前記摺動部２２１の外周面には滑りばめ部２２６が嵌着されて前記足場支柱２１０の外周面に前記摺動部２２１を固定する。
【００６３】
さらに、前記足場支柱２１０に繋結されるガイドレール２４０またはボードベア２３０の先端には、締結部２３１、２４１がそれぞれ形成される。前記締結部２３１、２４１は、前記上プレート２２２と下プレート２２３との隙間に対応する分の厚さと各プレートに対応する面積をもって所定の形状の平面に形成される。さらに、前記締結部２３１、２４１の平面には、前記プレート貫通孔２２４と突き合わせられる締結孔２３２、２４２が形成される。
【００６４】
このようにして構成された本発明に係る足場システムの足場支柱連結装置の取り付け過程を説明すると、下記の通りである。
【００６５】
先ず、足場支柱２１０の上端から摺動部２２１を挿入する。そして、前記摺動部２２１を前記足場支柱２１０の外周面に摺動させていき、前記摺動部２２１の外周面に多数設けられる滑りばめ部２２６を用いて前記足場支柱２１０の外周面の所定の位置に前記摺動部２２１を固定する。
【００６６】
ここで、前記多数の滑りばめ部２２６は、前記摺動部２２１の外周面を貫通して前記足場支柱２１０の外周面に密着されることにより、各方向から前記摺動部２２１を前記足場支柱２１０の外周面に固定する。
【００６７】
そして、前記ボードベア２３０またはガイドレール２４０の先端に所定の面積を有する平面に形成される締結部２３１、２４１を前記上プレート２２２と下プレート２２３との隙間に嵌合して前記締結部２３１、２４１の下面を前記下プレート２２３の上面に固着する。このとき、前記締結部２３１、２４１は、平面に貫通形成される締結孔２３２、２４２を前記上プレート２２２と下プレート２２３にそれぞれ形成されたプレート貫通孔２２４に突き合わせる。
【００６８】
これにより、上述したように、前記締結部２３１、２４１が前記上プレート２２２と下プレート２２３との間に挿置されると、前記結合手段２２５を前記上プレート２２２に形成されるプレート貫通孔２２４に嵌合し、前記締結孔２３２、２４２、前記下プレート２２３のプレート貫通孔２２４を順次に通させて下側に突出させる。
【００６９】
このように、前記足場支柱２１０に前記ボードベア２３０及びガイドレール２４０がそれぞれ繋結されることにより、作業場の環境に合わせて支持パネルなどの構造物の高さを調節して取り付けることが可能になる。
【００７０】
図１２は、本発明に係る足場システムの足場支柱連結装置の結合状態を示す斜視図であり、図１３(a)及び図１３(b)は、本発明に係る足場システムの足場支柱連結装置の結合関係を示す断面図及び斜視図である。
【００７１】
図１２及び図１３を参照すると、連結部３２０は、前面と一方の面が開口される。また、前記連結部３２０の内側に形成された中空には締結部３５０が挿支される。また、前記締結部３５０は、ガイドレール３４０の両端にそれぞれ形成され、前記連結部３２０に挿入されて前記ガイドレール３４０を支持する。
【００７２】
前記連結部３２０における上プレート３２１と下プレート３２２には、平面に貫通形成される貫通孔３２３がそれぞれ形成される。このとき、前記下プレート３２２の上面は、前記締結部３５０の下面と密接する。併せて、前記上プレート３２１の下面は、前記締結部３５０の上面と密接、あるいは近接するように配置されることが好ましい。また、前記連結部３２０の側面プレート３２４は、前記上プレート３２１と前記下プレート３２２のいずれかの一側面と連結される。これにより、前記側面プレート３２４の内側面は、前記締結部３５０の外側面と密接される。
【００７３】
また、前記締結部３５０は、前面に垂直端面が形成され、前記垂直端面からそれぞれ折り曲げられて上面３５１と下面３５２を形成する。さらに、前記上面３５１と下面３５２にはそれぞれ挿入孔３５３が形成される。すなわち、前記締結部３５０は、前面と上面３５１、下面３５２は形成されるが、両側面が開口された四角形状に形成される。
【００７４】
そして、テーパーキー３６０は、一方の面が垂直端面を呈し、他方の端面が下方に進むにつれて狭幅となるように所定の傾斜角をもって形成される。このようにして形成された前記テーパーキー３６０は、前記貫通孔３２３及び挿入孔３５３に挿通され、これにより、前記連結部３２０と締結部３５０が固定される。
【００７５】
以上のように構成された足場システムの組立て過程を説明すると、下記の通りである。
【００７６】
前記締結部３５０は、前記連結部３２０の開口された前面または一方の側面を介して前記連結部３２０の内側の中空に挿通される。
【００７７】
一方、前記締結部３５０は、前記連結部３２０への挿通に際し、前記下プレート３２２により下方への移動が制限され、前記側面プレート３２４により一方の側方への移動が制限される。このため、前記締結部３５０の挿入に際し、前記下プレート３２２及び側面プレート３２４に密接すると、前記連結部３２０に形成された貫通孔３２３と前記締結部３５０に形成された挿入孔３５３が突き合わせられるように配置される。
【００７８】
そして、このようにして貫通孔３２３及び挿入孔３５３が突き合わせられると、前記テーパーキー３６０を前記上プレート３２１の貫通孔３２３を通って前記締結部３５０の上面３５１と下面３５２にそれぞれ形成された挿入孔３５３を貫通し、前記下プレート３２２の貫通孔３２３を通って下側に突出される。
【００７９】
これにより、前記連結部３２０と締結部３５０が固定され、その結果、前記足場支柱３１０にガイドレール３４０が固定される。
【００８０】
すなわち、本発明は、前記連結部３２０の前面及び一方の面を開口し、前記締結部３５０を四角形状に形成して、前記締結部３５０を前記連結部３２０に嵌合しているため、前記連結部３２０と締結部３５０との接触面積が増大され、これにより、前記連結部３２０と締結部３５０との締付力が強くなる。
【００８１】
図１４は、本発明に係る足場システムの足場支柱連結装置の結合状態を示す斜視図であり、図１５(a)及び図１５(b)は、本発明に係る足場システムの足場支柱連結装置の結合関係を示す断面図及び斜視図である。
【００８２】
図１４及び図１５を参照すると、連結部４２０は、足場支柱４１０に固定されてガイドレール４４０を支持し、ガイドレール４４０は、前記足場支柱４１０に締め付けられて作業員の移動及び作業スペースをガイドする。また、前記連結部４２０において、上プレート４２１は、下部連結金具４２２の上面を覆うと共に、平面に貫通形成される貫通孔４２３を備える。そして、下部連結金具４２２は、四角形状またはその他の形状を有するように製作され、内側に中空が形成され、下面が開口される。
【００８３】
また、前記締結部４５０は、前記ガイドレール４４０の両端にそれぞれ形成され、このうち下面プレート４５２は、前記下部連結金具４２２の下側に密着されて支持され、前記貫通孔４２３と突き合わせられる挿入孔４５３が形成される。また、上面プレート４５１は、前記連結部４２０の上プレート４２１の上面に密着あるいは近接することが好ましく、前記貫通孔４２３と突き合わせられる挿入孔４５３が形成される。さらに、前記上面プレート４５１と下面プレート４５２の一方の面には側面プレート４５４が形成される。
【００８４】
ここで、前記締結部４５０には、前記上面プレート４５１と下面プレート４５２、側面プレート４５４により囲まれた中空が形成され、この中空に前記連結部４２０が嵌合される。
【００８５】
そして、前記テーパーキー４６０は、一側が垂直端面を呈し、他側の端面は下方に進むにつれて側面が狭幅となるように所定の角度をもって形成され、前記上プレート４２１の貫通孔４２３と前記上面プレート４５１及び下面プレート４５２にそれぞれ形成される挿入孔４５３を挿通して前記締結部４５０を前記連結部４２０に固定する。
【００８６】
このようにして構成された足場システムの組立て過程を説明すると、下記の通りである。
【００８７】
前記締結部４５０において、上面プレート４５１と、下面プレート４５２及び側面プレート４５４間の中空に前記連結部４２０が挿置される。
【００８８】
このとき、前記連結部４２０は、前記締結部４５０への嵌合に際し、前記下面プレート４５２により下方への移動が制限され、前記側面プレート４５４により側方への移動が制限される。これにより、前記連結部４２０が嵌合されて前記下面プレート４５２及び側面プレート４５４に密接されると、前記締結部４５０に形成された挿入孔４５３と前記連結部４２０に形成された貫通孔４２３が突き合わせられる。
【００８９】
このように、前記貫通孔４２３と挿入孔４５３が突き合わせられると、前記テーパーキー４６０を前記上面プレート４５１の挿入孔４５３に嵌合する。このとき、前記テーパーキー４６０は、前記上面プレート４５１の挿入孔４５３に嵌合された後、前記上プレート４２１と下部連結金具４２２の貫通孔４２３、前記下面プレート４５２の挿入孔４５３を順次に貫通して下側に突出される。
【００９０】
これにより、前記テーパーキー４６０は、前記上面プレート４５１と下面プレート４５２の挿入孔４５３と前記上プレート４２１の貫通孔４２３の直径よりも大きな厚さを有する個所において挿入が止まり、このときに生じる摩擦力により前記締結部４５０と連結部４２０を固定する。
【００９１】
すなわち、上面プレート４５１との摩擦力によりテーパーキー４６０を固定していた従来とは異なり、本発明においては、上プレート４２１を下部連結金具４２２の上面に固定させ、前記テーパーキー４６０と摩擦力を生じて固定可能な直径を有する貫通孔４２３を形成し、貫通孔と挿入孔による摩擦力を生じることから、従来に比べてテーパーキー４６０の固定力が強くなる。
【００９２】
以上、本発明に係る足場システムを添付図面に基づいて詳述したが、本発明はこれらの実施の形態と図面により限定されるものではなく、特許請求の範囲内であれば、本発明が属する技術分野における通常の知識を有する者にとって各種の修正及び変形が可能であることは言うまでもない。
【図面の簡単な説明】
【００９３】
【図１】通常の足場システムの斜視図。
【図２】(a)は、従来の技術による足場システムの支持パネルの底面図、(b)は、(a)におけるＩ−Ｉ線断面拡大図。
【図３】(a)及び(b)は、図１におけるＡ部分及びＢ部分の拡大斜視図。
【図４】(a)及び(b)は、本発明に係る足場システムのフレーム連結装置の一側の結合関係を示す斜視図。
【図５】本発明に係る足場システムのフレームが結合されるボードベアを示す斜視図。
【図６】本発明に係る足場システムのフレームの一端を示す斜視図。
【図７】(a)及び(b)は、本発明に係る足場システムの足場支柱連結装置の結合関係を示す斜視図。
【図８】(a)及び(b)は、本発明に係る足場システムの足場支柱連結装置を示す正面図と側面図。
【図９】本発明に係る足場システムのボードベアを示す斜視図。
【図１０】本発明に係る足場システムの一体型連結装置を示す斜視図。
【図１１】本発明に係る足場システムの一体型連結装置の結合関係を示す斜視図。
【図１２】本発明に係る足場システムの足場支柱連結装置の結合状態を示す斜視図。
【図１３】(a)及び(b)は、本発明に係る足場システムの足場支柱連結装置の結合関係を示す断面図及び斜視図。
【図１４】本発明に係る足場システムの足場支柱連結装置の結合状態を示す斜視図。
【図１５】(a)及び(b)は、本発明に係る足場システムの足場支柱連結装置の結合関係を示す断面図及び斜視図。
【符号の説明】
【００９４】
１０：  フレーム
１１：  フレーム胴体
１２：  挿入部
１３：  滑りばめ部
１３ａ：手摺
１３ｂ：垂直移動端面
１４：  ガイド部
２０：  ボードベア
２１：  ボードベア胴体
２２：  側端面結合部
２２ａ：挿入孔
２３：  下側平面結合部
２３ａ：滑りばめ孔
【図１】
2006257864.tif 000003
【図２】
2006257864.tif 000004
【図３】
2006257864.tif 000005
【図４】
2006257864.tif 000006
【図５】
2006257864.tif 000007
【図６】
2006257864.tif 000008
【図７】
2006257864.tif 000009
【図８】
2006257864.tif 000010
【図９】
2006257864.tif 000011
【図１０】
2006257864.tif 000012
【図１１】
2006257864.tif 000013
【図１２】
2006257864.tif 000014
【図１３】
2006257864.tif 000015
【図１４】
2006257864.tif 000016
【図１５】
2006257864.tif 000017